(57)【特許請求の範囲】
【請求項１】
画像形成装置に搭載される定着装置であって、
加熱手段と、
当該加熱手段により加熱される加熱回転部材と、
当該加熱回転部材と圧接する加圧回転部材と、
当該加圧回転部材の表面温度を検知する検温手段と、
前記加熱回転部材及び前記加圧回転部材を回転駆動させる駆動手段と、
画像形成装置が待機状態から作像動作に移行する時点において、前記検温手段によって検知される温度に基づいて、前記加熱回転部材及び前記加圧回転部材の回転速度を決定する決定手段と
を備えることを特徴とする定着装置。
【請求項２】
前記駆動手段は、
画像形成装置の作像動作が開始されてから、前記加熱回転部材が第１の所定温度、前記加圧回転部材が第２の所定温度になるまで、前記決定手段によって決定された回転速度で前記加熱回転部材及び前記加圧回転部材を回転駆動させ、
前記加熱回転部材が第１の所定温度、前記加圧回転部材が第２の所定温度になった後は、所定の回転速度で前記加熱回転部材及び前記加圧回転部材を回転駆動させること
を特徴とする請求項１記載の定着装置。
【請求項３】
前記決定手段は、
前記画像形成装置が待機状態から作像動作に移行されてから、回転に伴って前記加熱回転部材が前記加圧回転部材に熱を奪われることにより第１の所定温度から温度が降下して再び第１の所定温度まで回復するのに要する時間と、回転に伴って前記加圧回転部材が前記加熱回転部材から熱をもらって待機状態の温度から第２の所定温度まで昇温するのに要する時間とが等しくなる回転速度に決定すること
を特徴とする請求項１又は請求項２記載の定着装置。
【請求項４】
前記温度検知手段が検知する検知温度を横軸に、前記決定手段が決定する回転速度を縦軸にとった場合、前記検知温度と前記回転速度との関係を示すグラフは右下がりになること
を特徴とする請求項１又は請求項２記載の定着装置。
【請求項５】
請求項１から請求項３にいずれか記載の定着装置を備えることを特徴とする画像形成装置。
【請求項６】
加熱手段により加熱される加熱回転部材と、加熱回転部材に圧接される加圧回転部材とを備える定着装置を駆動させる定着装置駆動方法であって、
画像形成装置が待機状態から作像動作に移行する時点において、前記加圧回転部材の表面温度を検知する検温ステップと、
前記検温ステップで検知された温度に基づいて、前記加熱回転部材及び前記加圧回転部材の回転速度を決定する決定ステップと、
前記決定ステップで決定された回転速度で、前記加熱回転部材及び前記加圧回転部材を回転駆動させる駆動ステップと
を含むことを特徴とする定着装置駆動方法。
【発明の詳細な説明】
【技術分野】
【０００１】
本発明は、画像形成装置に搭載される定着装置に関する。
【背景技術】
【０００２】
複写機等の画像形成装置は、シート上の未定着画像を加熱、加圧により定着させるための定着装置を備えている。この定着装置には、定着ローラと、定着ローラに圧接される加圧ローラと、定着ローラを加熱するヒータと、両ローラの表面温度を検知する温度センサ等が設けられており、温度センサからの信号に基づいて、定着ローラの表面温度が所定の定着温度（例えば、１９０℃）に維持されるようになっている。加圧ローラには、回転に伴い、定着ローラから熱が伝達され、定着動作時にはその表面は所定温度（例えば１２０℃）以上に保たれる。
【０００３】
画像形成装置では、画像形成処理を実行せずにジョブを受け付けるまで待機する待機状態の場合には、定着装置の定着ローラ及び加圧ローラは回転を停止した状態になる。このとき、加圧ローラは定着ローラからの熱が伝わりにくいので、徐々に温度が低下していく。
そこで、画像形成装置が待機状態から作像動作に移る際に、加圧ローラの表面温度が所定温度より低い場合には、両ローラを回転させて定着ローラから加圧ローラへ熱を遷移させることにより、定着ローラ及び加圧ローラのそれぞれを所定温度にする制御を行っている。
【特許文献１】特開平７−１６０１３３号公報
【発明の開示】
【発明が解決しようとする課題】
【０００４】
しかしながら、現状の画像形成装置においては、定着ローラ、加圧ローラがそれぞれの所定温度まで上昇するのに時間がかかり、待機状態から作像動作に移行して完了するまでの時間、いわゆるファーストプリントタイムが長いことが問題視されている。
本発明は、上記の点に鑑みてなされたものであり、待機状態から作像動作に移行して完了するまでの時間を短縮することが可能な定着装置、画像形成装置、及び制御方法を提供することを目的としている。
【課題を解決するための手段】
【０００５】
そこで、本発明に係る定着装置は、画像形成装置に搭載される定着装置であって、加熱手段と、当該加熱手段により加熱される加熱回転部材と、当該加熱回転部材と圧接する加圧回転部材と、当該加圧回転部材の表面温度を検知する検温手段と、前記加熱回転部材及び前記加圧回転部材を回転駆動させる駆動手段と、画像形成装置が待機状態から作像動作に移行する時点において、前記検温手段によって検知される温度に基づいて、前記加熱回転部材及び前記加圧回転部材の回転速度を決定する決定手段とを備えることを特徴としている。
【発明の効果】
【０００６】
本発明者らは、加熱回転部材及び加圧回転部材のそれぞれが所定温度になるまでに要する時間は、作像動作移行時の加圧回転部材の表面温度及び両回転部材の回転速度に依存していることを見出した。
上記構成では、加圧回転部材の表面温度に基づいて回転速度が適当な値に決定され、その回転速度で加熱回転部材及び加圧回転部材を回転駆動させるので、加熱回転部材及び加圧回転部材がそれぞれ所定温度になるまでに要する時間を短縮することができ、もって、待機状態から作像動作に移行して完了するまでの時間を短縮することができる。
【０００７】
また、前記駆動手段は、画像形成装置の作像動作が開始されてから、前記加熱回転部材が第１の所定温度、前記加圧回転部材が第２の所定温度になるまで、前記決定手段によって決定された回転速度で前記加熱回転部材及び前記加圧回転部材を回転駆動させ、前記加熱回転部材が第１の所定温度、前記加圧回転部材が第２の所定温度になった後は、所定の回転速度で前記加熱回転部材及び前記加圧回転部材を回転駆動させることが望ましい。
【０００８】
このように、定着可能な状態になるまでは、前記決定手段によって決定された回転速度で加熱回転部材及び加圧回転部材を回転駆動させることによって、いち早く定着可能状態にすることができ、定着可能な状態になった後は、定着時における所定の回転速度に切り換えることによって、スムーズな定着動作を行うことができる。
ここで、前記決定手段は、前記画像形成装置が待機状態から作像動作に移行されてから、回転に伴って前記加熱回転部材が前記加圧回転部材に熱を奪われることにより第１の所定温度から温度が降下して再び第１の所定温度まで回復するのに要する時間と、回転に伴って前記加圧回転部材が前記加熱回転部材から熱をもらって待機状態の温度から第２の所定温度まで昇温するのに要する時間とが等しくなる回転速度に決定することが望ましい。
【０００９】
このような回転速度とすることによって、加熱回転部材及び加圧回転部材がそれぞれ所定温度になるまでに要する時間を最短にすることができ、もって、待機状態から作像動作に移行して完了するまでの時間を短縮することができる。
また、前記温度検知手段が検知する検知温度を横軸に、前記決定手段が決定する回転速度を縦軸にとった場合、前記検知温度と前記回転速度との関係を示すグラフは右下がりになることが望ましい。
【００１０】
検知温度と、回転速度とがこのような関係にあると、加熱回転部材及び加圧回転部材がそれぞれ所定温度になるまでに要する時間を短縮できることが本発明者らによって見出された。
本発明に係る画像形成装置は、上記いずれかの定着装置を備えることを特徴としている。これにより、待機状態から作像動作に移行して完了するまでの時間を短縮することが可能な画像形成装置を提供することができる。
【００１１】
本発明に係る定着装置駆動方法は、加熱手段により加熱される加熱回転部材と、加熱回転部材に圧接される加圧回転部材とを備える定着装置を駆動させる定着装置駆動方法であって、画像形成装置が待機状態から作像動作に移行する時点において、前記加圧回転部材の表面温度を検知する検温ステップと、前記検温ステップで検知された温度に基づいて、前記加熱回転部材及び前記加圧回転部材の回転速度を決定する決定ステップと、前記決定ステップで決定された回転速度で、前記加熱回転部材及び前記加圧回転部材を回転駆動させる駆動ステップとを含むことを特徴としている。これにより、待機状態から作像動作に移行して完了するまでの時間を短縮することができる。
【発明を実施するための最良の形態】
【００１２】
以下、図面を参照しながら、本発明に係る定着装置、画像形成装置、及び定着装置駆動方法について説明する。
（第１の実施の形態）
図１は、本実施の形態に係る画像形成装置全体の概略構成を示す図である。
同図に示すように、画像形成装置１は、画像形成部１０、給紙部２０、定着部３０及び制御部４０を備えており、記録シートＳへの画像形成が可能な構成になっている。
【００１３】
給紙部２０は、給紙カセット２１、給送ローラ２２およびタイミングローラ対２３等を備え、給紙カセット２１に収容されたシートＳを給紙ローラ２１により１枚ずつ繰り出し、シート搬送路（破線）に沿ってタイミングローラ対２３を介して転写位置Ｐまで給送させる。
画像形成部１０は、感光体ドラム１１を一様に帯電させ、帯電された感光体ドラム１１表面をプリンタヘッド１２内部のレーザダイオード（不図示）から出射されるレーザビームの走査により露光して感光体ドラム１１上に静電潜像を形成し、形成された静電潜像を現像してトナー像を形成した後、そのトナー像を転写位置Ｐにおいて、給紙部２０からのシートＳに転写ローラ１３の静電的作用により転写させるものである。
【００１４】
図２は定着部３０の構成を示す模式図である。定着部３０は、定着ローラ３１と、定着ベルト３２と、定着ローラ３０内部に配設される加熱ヒータ３３と、加圧ローラ３４と、温度センサ３５，３７と、パッド３６とを備えている。
定着ベルト３２は、定着ローラ３１とパッド３６とに掛けわたされており、定着ローラ３１が図中Ａ方向に回転するのにともなって回転する。
【００１５】
加圧ローラ３４は、パッド３６に掛けわたされている部分の定着ベルト３２と圧接されてニップ部を形成している。温度センサ３５は、加圧ローラ３４の表面温度を検知しており、温度センサ３７は、定着ローラ３１の表面温度を検知している。
また図示は省略するが、定着部３０は、定着ローラ３１を図中Ａ方向へ、加圧ローラ３４を図中Ｂ方向へ回転駆動させる駆動部３８（図３参照）を備えている。
【００１６】
図３は、制御部４０の構成を示すブロック図である。
同図に示すように、制御部４０は、主な構成要素として、ＣＰＵ４１、ＲＡＭ４２、ＲＯＭ４３及び回転速度データ格納部４４を備えている。
ＲＯＭ４３は、画像形成部１０における作像動作に関するプログラム等の各種プログラムが格納されている。
【００１７】
ＣＰＵ４１は、ＲＯＭ４３から必要なプログラムを読み出して、画像形成部１０、給紙部２０及び定着部３０の動作を統括的に制御して円滑な作像動作を実行させる。
ＲＡＭ４２は、ＣＰＵ１０１が制御プログラムを実行する際のワークエリアとして使用される。
回転速度データ格納部４４は、加圧ローラ３４の表面温度に対する適切な回転速度に関するデータが格納されている。
【００１８】
制御部４０は、作像動作を実行させるとともに、温度センサ３７からの検知信号を受信し、定着ローラ３１の温度を監視して、定着ローラ３１の温度が所定の定着温度に維持されるようにヒータ３３への電力供給量を制御する。また、詳細については後述するが、制御部４０は温度センサ３５からの検知信号を受信し、受信した情報に基づいて、回転速度データ格納部４４に格納されているデータにしたがって、定着ローラ３１及び加圧ローラ３４の回転速度を決定する。
（動作）
つぎに定着部３０の動作について説明する。画像形成装置１に電源が投入されると、いわゆるウォームアップ動作が実行される。ウォームアップ動作では、定着ローラ３１及び定着ベルト３２、加圧ローラ３４は駆動部３８によって回転駆動される。ヒータ３３による加熱により定着ベルト３２は１９０℃にまで昇温される。加圧ローラ３４は回転に伴って、定着ローラ３１からの熱の遷移によって１２０℃まで昇温される。
【００１９】
この状態で画像形成装置１がプリントジョブを受け付けると、作像動作が実行される。作像動作では、画像形成部１０でトナー像を形成して当該トナー像をシートＳに転写し、定着ベルト３２と加圧ローラ３４との圧接部にトナー像（未定着画像）が転写されたシートＳを通過させて当該トナー像Ｔを加熱、加圧により定着させ、排出ローラ対２５を介して排出トレイ２６上にシートＳを排出する。
【００２０】
作像動作が完了した後は、画像形成装置１は次のジョブを受け取るまで待機状態に入る。待機状態では、定着部３０の定着ローラ３１と加圧ローラ３４の回転は停止されている。定着ローラ３１は、ヒータ３３による加熱によって定着温度（本例では１９０℃）を維持するように制御される。加圧ローラ３４は上述したように回転することによって、定着ローラ３１の熱を定着ベルト３２を介して受け取り所定温度（本例では１２０℃）に保たれる構成となっているので、回転が停止されている待機状態では、定着ローラ３１からの加圧ローラ３４への熱の遷移が減少するので、加圧ローラ３４の表面温度は次第に低下していく。
【００２１】
つぎに、画像形成装置１が待機状態にあるときに、画像形成装置１が新たなジョブを受け付けて、作像動作が開始されるときの動作について説明する。
図４は、待機状態にある画像形成装置１が、作像動作を開始したときの定着部３０の制御を示すフローチャートである。
画像形成装置１が待機状態から作像動作に移行すると、（ステップＳ１０１：Ｙｅｓ）、この時点での加圧ローラ３４の表面温度を温度センサ３５によって検知する（ステップＳ１０２）。そして、検知された加圧ローラ３４の表面温度に基づいて、定着ローラ３１及び加圧ローラ３４の回転速度を決定する（ステップＳ１０３）。具体的には、図５に示すグラフから回転速度を決定する。
【００２２】
図５は、作像動作移行時の加圧ローラ３４の温度と回転速度との関係を示すグラフである。グラフの縦軸はローラの回転速度[ｍｍ／ｓ]であり、横軸は作像動作移行時の加圧ローラ３４の表面温度[℃]である。
図５に示すグラフは、作像動作移行時の加圧ローラの表面温度をｘ[℃]、回転速度をｙ[ｍｍ／ｓ]とすると、式１で表される。
【００２３】
ｙ＝−１．２５ｘ＋２００                （式１）
式１に関するデータは、回転速度データ格納部４４に格納されており、ＣＰＵ４１は、式１を用いて、作像動作移行時の加圧ローラ３４の温度に基づいて、回転速度を決定する。
ここで、図５に示すグラフを得るために行われた実験について説明する。本発明者らは、作像動作の開始時に加圧ローラの表面温度がある特定の温度であるときに、回転速度を変えたデータを集め、どの回転速度で回転駆動させたときに、定着ベルト及び加圧ローラが最短時間でそれぞれの所定温度になるかを求める実験を行った。
【００２４】
図６は、図５に示すグラフを得るために行われた実験のデータを示すものであって、作像動作の開始時に加圧ローラの温度が５０℃であるときのデータである。
なお、下記においては、待機状態から作像動作が開始され、回転に伴って定着ローラ３１が加圧ローラ３４に熱を奪われることにより定着温度（本例では１９０℃）から温度が降下して、再び定着温度まで回復するのに要する時間をｔ１、回転に伴って加圧ローラ３４が定着ローラ３１から熱をもらって、待機状態の温度から所定温度（本例では１２０℃）まで昇温するのに要する時間をｔ２とする。
【００２５】
また図６では、（ａ）から（ｂ）、（ｃ）にいくにしたがって、回転速度を速めているときのデータである。
図６（ａ）に示す例では、回転速度が遅く、定着ローラ３１から加圧ローラ３４に伝達される単位時間あたりの熱量が少ないため、定着ローラ３１が定着温度まで回復するのに要する時間ｔ１は短くなるが、加圧ローラ３４が所定温度まで昇温するまでの時間ｔ２が長くなる。
【００２６】
このとき、定着ローラ３１及び加圧ローラ３４の両方ともが所定の温度になって、定着動作を開始できる時間ｔは、ｔ＝ｔ２≒２８秒である。
図６（ｃ）に示す例では、回転速度が速く、定着ローラ３１から加圧ローラ３４へ伝達される単位時間あたりの熱量が多いため、加圧ローラ３４が所定温度まで昇温するまでの時間ｔ２は短くなるが、定着ローラ３１が定着温度まで回復するのに要する時間ｔ１が長くなる。
【００２７】
このとき、定着ローラ３１及び加圧ローラ３４の両方ともが所定の温度になって、定着動作を開始できるまでに要する時間ｔは、ｔ＝ｔ１≒２０秒である。
図６（ｂ）に示す例では、定着ローラ３１が定着温度まで回復するのに要する時間ｔ１と、加圧ローラ３４が所定温度まで昇温するまでの時間ｔ２が等しくなるような回転速度で回転している。
【００２８】
このとき、定着ローラ３１及び加圧ローラ３４の両方ともが所定の温度になって定着動作を開始できるまでに要する時間ｔは、ｔ＝ｔ１＝ｔ２≒１７秒となる。
以上のように、加圧ローラ３４の回転速度をかえて、定着ローラ３１及び加圧ローラ３４の両方ともが所定の温度になって定着動作を開始できるまでに要する時間ｔを測定したところ、ｔ１＝ｔ２となる回転速度で回転させたときに時間ｔが最短になることが判明した。
【００２９】
上記においては、作像動作移行時の加圧ローラの温度が５０℃のときついて調べたものであるが、作像動作移行時の加圧ローラの温度が４０℃から１２０℃のときも同様に、定着ローラ３１及び加圧ローラ３４の両方ともが所定の温度になって定着動作を開始できるまでに要する時間ｔは、図６（ｂ）の場合のようにｔ１＝ｔ２となるときに最短となることが判明した。
【００３０】
そこで、本発明者らは、作像動作移行時の加圧ローラの温度が４０℃から１２０℃のときに、ｔ１＝ｔ２となる回転速度Ｒをそれぞれ求めた。
そして、求められた各温度における回転速度Ｒをプロットすることにより、図５に示すようなグラフが得られた。なお、作像動作移行時の加圧ローラの温度と回転速度との関係は、定着部３０の仕様によって異なる。作像動作移行時の加圧ローラの温度と回転速度との関係をグラフに表したときに、図５に示すような右下がりの直線になる場合もあるし、あるいは、右下がりの曲線になる場合もある。
【００３１】
以上のように、本発明者らは、定着ローラ３１及び加圧ローラ３４のそれぞれが所定温度になるまでに要する時間は、作像動作移行時の加圧ローラ３４の表面温度及び回転速度に依存していることを見出した。
そして本発明者らの鋭意研究の結果、図５に示すような関係を満たすように回転速度を制御することによって、定着ローラ３１及び加圧ローラ３４のそれぞれが定着可能な所定温度になるまでに要する時間を最短できることが導き出された。
【００３２】
図４に戻って、ステップＳ１０３において回転速度が決定されると、駆動部３８は、決定された回転速度で定着ローラ３１及び加圧ローラ３４が所定温度になるまで回転駆動させる（ステップＳ１０４）。そして、定着ローラ３１及び加圧ローラ３４がそれぞれ所定温度まで昇温されたら（ステップＳ１０５）、定着ベルト３２と加圧ローラ３４の圧接部にトナー像（未定着画像）が転写されたシートＳを通過させて当該トナー像を加熱、加圧により定着させる定着動作を実行する（ステップＳ１０６）。なお、定着動作を実行するときの定着ローラ３１及び加圧ローラ３４の回転速度は、最適な回転速度に切り換えることによって、スムーズな定着動作を行うことができる。
【００３３】
図７は、本実施の形態に係る定着装置の効果を示すグラフである。グラフの縦軸は、定着ローラ３１、加圧ローラ３４のいずれもが所定の温度になる迄に要する時間[秒]であり、横軸は、作像動作移行時の加圧ローラ３４の表面温度[℃]である。
実施例では、作像動作移行時の加圧ローラの表面温度に基づいて回転速度を変化させており、比較例１〜３では、作像動作移行時の加圧ローラの表面温度に関わらず、常に一定の回転速度で回転させている。すなわち、比較例１では回転速度５０ｍｍ／ｓ、比較例２では回転速度１００ｍｍ／ｓ、比較例３では回転速度１５０ｍｍ／ｓで回転させている。
【００３４】
図７より、比較例１〜３と比較して、作像動作移行時の加圧ローラの温度がいずれの場合であっても、実施例の方が定着ローラ３１及び加圧ローラが所定温度になるまでの時間が短くなることがわかる。
以上説明したように、待機状態から作像動作に移行された時点の加圧ローラ３４の温度に基づいて、回転速度を決定することによって、定着ローラ３１及び加圧ローラ３４がそれぞれ所定温度になるまでに要する時間を短縮することができ、もって、待機状態から作像動作に移行して完了するまでの時間を短縮することができる。
【００３５】
なお、本発明は、上記した定着装置、画像形成装置に限られず、上記の定着部の駆動方法、その方法をコンピュータが実行するプログラムであるとしてもよい。また、本発明に係るプログラムは、例えば磁気テープ、フレキシブルディスク等の磁気ディスク、ＤＶＤ−ＲＯＭ、ＤＶＤ−ＲＡＭ、ＣＤ−ＲＯＭ、ＣＤ−Ｒ、ＭＯ、ＰＤなどの光記録媒体、フラッシュメモリ系記録媒体等、コンピュータ読み取り可能な各種記録媒体に記録することが可能であり、当該記録媒体の形態で生産、譲渡等がなされる場合もあるし、プログラムの形態でインターネットを含む有線、無線の各種ネットワーク、放送、電気通信回線、衛星通信等を介して伝送、供給される場合もある。
【００３６】
また、本発明のプログラムは、上記に説明した処理をコンピュータに実行させるための全てのモジュールを含んでいる必要はなく、例えば通信プログラムやオペレーティングシステム（ＯＳ）に含まれるプログラムなど、別途情報処理装置にインストールすることができる各種汎用的なプログラムを利用して、本発明の各処理をコンピュータに実行させるようにしても良い。したがって、上記した記録媒体に必ずしも上記全てのモジュールを記録している必要はないし、また必ずしも全てのモジュールを伝送する必要もない。さらに所定の処理を専用ハードウェアを利用して実行させるようにすることができる場合もある。
【００３７】
＜変形例＞ 
以上、本発明を実施の形態に基づいて説明してきたが、本発明の内容が、上記の実施の形態に示された具体例に限定されないことは勿論であり、例えば、以下のような変形例を考えることができる。
（１）上記においては、作像動作移行時の加圧ローラの温度に基づいて回転速度を決定する際に、図５に示すようなグラフの関係を用いたが、これに限定されない。図８は、作像動作移行時の加圧ローラ３４の温度と、回転速度の関係を示したテーブルである。図８のように、作像動作移行時の加圧ローラ３４の温度が５０℃未満のときには、回転速度を１５０ｍｍ／ｓ、５０℃以上１００℃未満の場合には１００ｍｍ／ｓ、１００℃以上のときには５０ｍｍ／ｓといったように回転速度を決定して、作像動作移行時の加圧ローラ３４の温度に基づいて、回転速度を数段階に切り換える制御を行う構成にしてもよい。
【００３８】
（２）上記においては、定着ローラ３１及び加圧ローラ３４の回転が停止されて定着ローラ３４が定着温度に保たれている状態を待機状態とし、当該待機状態から作像動作に移行される場合に回転速度を調整する構成について述べたが、定着ローラ３１及び加圧ローラ３４の回転が停止されて定着ローラ３１が節電を目的として定着温度よりも低い温度で保たれている状態から作像動作に移行される場合にも本発明の思想を適用することができる。
【００３９】
（３）上記においては、駆動部３８は、定着ローラ３１、加圧ローラ３４のいずれも回転駆動させる構成について説明しているが、例えば、駆動部３８は、加圧ローラ３４のみを回転駆動させて、定着ローラ３１を従動させる構成としてもよい。
（４）上記においては、定着装置は、図２に示すように、定着ローラ３１、定着ベルト３２、加圧ローラ３４を有するものについて説明したが、これに限定されない。例えば、定着装置の構成は、図９に示すようなものであってもよい。図９は、定着装置の変形例を示す模式図である。
【００４０】
図９（ａ）は、内部に加熱ヒータ５２を有する定着ローラ５１と、加圧ローラ５４とが圧接されてニップ部を形成するタイプの定着装置の例である。
図９（ｂ）は、ＩＨヒータ６２によって加熱される定着ベルト６１と、定着ベルト６１と圧接されてニップ部を形成する加圧ローラ６５と、ヒータ６８を有し加圧ローラ６５を加熱する外部加熱ローラ６７を有するタイプの定着装置の例である。
【００４１】
図９（ｃ）は、シートヒータ７２によって定着ベルト７１が加熱されるタイプの定着装置の例である。パッド７４の表面にはグリースが塗布されて内部ベルト７３が外嵌されている。定着ベルト７１は、シートヒータ７２と内部ベルト７３とに掛けわたされており、加圧ローラ７５と圧接してニップ部を形成している。
なお、図番５３，５５，６３，６６，６９，７６で指し示されているものは、いずれも温度センサである。
【００４２】
上記の定着装置の変形例はいずれも、加圧ローラは、定着ローラあるいは定着ベルトからの熱遷移によって主として温度が上昇する構成の定着装置である。このような定着装置において、本発明を適用すると有効である。また、定着ローラ、定着ベルトの熱容量よりも、加圧ローラの熱容量が大きい構成の定着装置に本発明を適用すると効果的である。
【産業上の利用可能性】
【００４３】
本発明は、待機状態から作像動作に移行して完了するまでの時間を短縮することが可能な定着装置及び画像形成装置を提供することができるので、その産業的利用価値は極めて高い。
【図面の簡単な説明】
【００４４】
【図１】本実施の形態に係る画像形成装置全体の概略構成を示す図である。
【図２】定着部３０の構成を示す模式図である。
【図３】制御部４０の構成を示すブロック図である。
【図４】待機状態にある画像形成装置１が、作像動作を開始したときの定着部３０の制御を示すフローチャートである。
【図５】作像動作移行時の加圧ローラ３４の温度と回転速度との関係を示すグラフである。
【図６】図５に示すグラフを得るために行われた実験のデータを示すものであって、作像動作の開始時に加圧ローラの温度が５０℃であるときのデータである。
【図７】本実施の形態に係る定着装置の効果を示すグラフである。
【図８】作像動作移行時の加圧ローラ３４の温度と、回転速度の関係を示したテーブルである。
【図９】定着装置の変形例を示す模式図である。
【符号の説明】
【００４５】
１           画像形成装置
１０         画像形成部
２０         給紙部
３０         定着部
３１         定着ローラ
３２         定着ベルト
３３         ヒータ
３４         加圧ローラ
３５，３７   温度センサ
３６         パッド
３８         駆動部
４０         制御部
４４         回転速度データ格納部
【図１】
0004815918.tif 000002
【図２】
0004815918.tif 000003
【図３】
0004815918.tif 000004
【図４】
0004815918.tif 000005
【図５】
0004815918.tif 000006
【図６】
0004815918.tif 000007
【図７】
0004815918.tif 000008
【図８】
0004815918.tif 000009
【図９】
0004815918.tif 000010